(57)【要約】【課題】コストの低減を図りつつ容易に製造することのできるコネクタを得る。【解決手段】コネクタ１０は、複数のケーブル２０と、当該複数のケーブル２０のうちの１つのケーブル２０の芯線２０ａが接続される端子部５１が複数並設されたボディ３０と、を備えている。複数のケーブル２０は、芯線２１ａと、当該芯線２１ａを覆う内側絶縁被覆層２１ｂと、当該内側絶縁被覆層２１ｂの外周を覆うシールド層２１ｃと、当該シールド層２１ｃの外周を覆う外側絶縁被覆層２１ｄとを有する同軸ケーブル２１と、同軸ケーブル２１の芯線２１ａよりも大径の芯線２２ａと、当該芯線２２ａの外周を覆う絶縁被覆層２２ｂとを有するディスクリートケーブル２２と、を備えている。そして、ボディ３０の載置部３８のディスクリートケーブル２２の芯線２２ａを載置する部位に、溝部３８ａを設けた。【選択図】図２
2013258052.tif 000002
【特許請求の範囲】
【請求項１】
複数のケーブルと、当該複数のケーブルのうちの１つのケーブルの芯線が接続される端子部が複数並設されたボディと、を備えるコネクタであって、
前記複数のケーブルは、芯線と、当該芯線を覆う内側絶縁被覆層と、当該内側絶縁被覆層の外周を覆うシールド層と、当該シールド層の外周を覆う外側絶縁被覆層とを有し、信号用ケーブルとして用いられる同軸ケーブルと、前記同軸ケーブルの芯線よりも大径の芯線と、当該芯線の外周を覆う絶縁被覆層とを有し、グランド用ケーブルとして用いられるディスクリートケーブルと、を備え、
前記ボディは、前記端子部が併設されており、前記複数のケーブルの芯線を載置する載置部を備え、
前記載置部は、前記ディスクリートケーブルの芯線を載置する部位に、溝部が設けられていることを特徴とするコネクタ。
【請求項２】
前記同軸ケーブルのシールド層の径と前記ディスクリートケーブルの芯線の径が略同一であることを特徴とする請求項１に記載のコネクタ。
【請求項３】
前記溝部は、前記載置部の隣り合う端子部の間に形成されており、前記前記ディスクリートケーブルの芯線は、前記溝部に載置した状態で前記隣り合う端子部にそれぞれ接続されていることを特徴とする請求項１または請求項２に記載のコネクタ。
【請求項４】
前記隣り合う端子部の側面部が前記溝部内に露出していることを特徴とする請求項３に記載のコネクタ。
【請求項５】
前記溝部は、前記端子部に形成されていることを特徴とする請求項１または請求項２に記載のコネクタ。
【請求項６】
前記溝部は、互いに対向するとともに、前記溝部の開口側から深さ方向に向かうにつれて幅狭となる一対の傾斜面を有することを特徴とする請求項１〜５のうちいずれか１項に記載のコネクタ。
【発明の詳細な説明】
【技術分野】
【０００１】
本発明は、コネクタに関する。
【背景技術】
【０００２】
従来、コネクタとして、複数のコンタクトを保持するハウジングと、各コンタクトのそれぞれに芯線が半田付けにより接続される複数のケーブルと、当該複数のケーブルを挟持する一対のグランドバーとを備えるものが知られている（例えば、特許文献１参照）。
【０００３】
この特許文献１では、複数のケーブルとして、中心導体と内部絶縁体と外部導体と外被とを有する同軸ケーブルと、中心導体と外部導体と外被とを有するグランドケーブルとを用いている。
【０００４】
そして、同軸ケーブルの外部導体とグランドケーブルの外部導体とを同径とし、それぞれの外部導体を一対のグランドバーで挟持することで、共通のグランドバーに導電接続させている。また、同軸ケーブルの中心導体とグランドケーブルの中心導体とを同径とすることで、それぞれの中心導体を各コンタクトに導電接続させる際に、パルスヒートによる一括半田付けを行えるようにしている。
【先行技術文献】
【特許文献】
【０００５】
【特許文献１】特開２００８−１６６２５１号公報
【発明の概要】
【発明が解決しようとする課題】
【０００６】
しかしながら、上記従来の技術では、容易に製造することはできるが、比較的高価なケーブルをグランドケーブルとして用いているため、コネクタの製造コストが増加してしまうという問題がある。
【０００７】
そこで、本発明は、コストの低減を図りつつ容易に製造することのできるコネクタを得ることを目的とする。
【課題を解決するための手段】
【０００８】
本発明の第１の特徴は、複数のケーブルと、当該複数のケーブルのうちの１つのケーブルの芯線が接続される端子部が複数並設されたボディと、を備えるコネクタであって、前記複数のケーブルは、芯線と、当該芯線を覆う内側絶縁被覆層と、当該内側絶縁被覆層の外周を覆うシールド層と、当該シールド層の外周を覆う外側絶縁被覆層とを有し、信号用ケーブルとして用いられる同軸ケーブルと、前記同軸ケーブルの芯線よりも大径の芯線と、当該芯線の外周を覆う絶縁被覆層とを有し、グランド用ケーブルとして用いられるディスクリートケーブルと、を備え、前記ボディは、前記端子部が併設されており、前記複数のケーブルの芯線を載置する載置部を備え、前記載置部は、前記ディスクリートケーブルの芯線を載置する部位に、溝部が設けられていることを要旨とする。
【０００９】
本発明の第２の特徴は、前記同軸ケーブルのシールド層の径と前記ディスクリートケーブルの芯線の径が略同一であることを要旨とする。
【００１０】
本発明の第３の特徴は、前記溝部は、前記載置部の隣り合う端子部の間に形成されており、前記前記ディスクリートケーブルの芯線は、前記溝部に載置した状態で前記隣り合う端子部にそれぞれ接続されていることを要旨とする。
【００１１】
本発明の第４の特徴は、前記隣り合う端子部の側面部が前記溝部内に露出していることを要旨とする。
【００１２】
本発明の第５の特徴は、前記溝部は、前記端子部に形成されていることを要旨とする。
【００１３】
本発明の第６の特徴は、前記溝部は、互いに対向するとともに、前記溝部の開口側から深さ方向に向かうにつれて幅狭となる一対の傾斜面を有することを要旨とする。
【発明の効果】
【００１４】
本発明によれば、芯線が同軸ケーブルの芯線よりも大径のディスクリートケーブルをグランド用ケーブルとして用いている。すなわち、比較的安価なディスクリートケーブルをグランド用ケーブルとして用いている。そのため、製造コストの低減を図ることができる。また、ボディの載置部に形成された溝部にディスクリートケーブルの芯線を載置するようにしている。そのため、同軸ケーブルの芯線と端子部との高さおよびディスクリートケーブルの芯線と端子部との高さを略同等にすることができる。その結果、それぞれの芯線を各端子部に接続させる際に、パルスヒートによる一括半田付けを行うことが可能となり、コネクタの製造が容易になる。
【図面の簡単な説明】
【００１５】
【図１】本発明の第１実施形態にかかるコネクタを示す斜視図である。
【図２】図１のＡ−Ａ断面図である。
【図３】図１のＢ−Ｂ断面図である。
【図４】本発明の第２実施形態にかかるコネクタを示す斜視図である。
【図５】図４のＣ−Ｃ断面図である。
【発明を実施するための形態】
【００１６】
以下、本発明の実施形態について図面を参照しつつ詳細に説明する。なお、以下の複数の実施形態には、同様の構成要素が含まれている。よって、以下では、それら同様の構成要素には共通の符号を付与するとともに、重複する説明を省略する。
【００１７】
（第１実施形態）
本実施形態にかかるコネクタ１０は、図１に示すように、複数のケーブル２０と、当該複数のケーブル２０のうちの１つのケーブル２０の芯線２０ａが接続される端子部５１が複数並設された合成樹脂製のボディ３０と、を備えている。そして、ボディ３０には、電磁ノイズを遮蔽するための金属製のシェル４０が取り付けられている。
【００１８】
ケーブル２０は、信号用ケーブルとして用いられる複数の同軸ケーブル２１と、グランド用ケーブルとして用いられる複数のディスクリートケーブル２２とを備えている。
【００１９】
同軸ケーブル２１は、芯線２１ａと、当該芯線２１ａの外周を覆う内側絶縁被覆層２１ｂと、当該内側絶縁被覆層２１ｂの外周を覆うシールド層２１ｃと、当該シールド層２１ｃの外周を覆う外側絶縁被覆層２１ｄとで構成されている。この同軸ケーブル２１は、図１に示すように、一端側の先端から順に芯線２１ａ、内側絶縁被覆層２１ｂ、シールド線２１ｃを露出させている。
【００２０】
ディスクリートケーブル２２は、同軸ケーブル２１の芯線２１ａよりも大径の芯線２２ａと、当該芯線２２ａの外周を覆う絶縁被覆層２２ｂとで構成されている。このディスクリートケーブル２２は、図１に示すように、一端側の先端に芯線２２ａを露出させている。
【００２１】
ボディ３０には、図１に示すように、端子部５１および端子部５２を有する複数のコンタクト５０が長手方向に略均等に配置されている。本実施形態では、ボディ３０は、複数の端子部５２が長手方向に略均等に配置された本体部３１と、本体部３１の短手方向一端側に延設され、複数の端子部５１が長手方向に略均等に配置されたケーブル支持部３２と、を備えている。そして、複数のケーブル２０がケーブル支持部３２に支持されている。また、ボディ３０の長手方向両端には、取手部３４がそれぞれ設けられている。
【００２２】
本体部３１には、図１に示すように、図示せぬレセプタクルコネクタと嵌合する嵌合凹部３４が形成されており、コンタクト５０の端子部５２が、この嵌合凹部３４内で露出している。そして、図示せぬレセプタクルコネクタを嵌合凹部３４に嵌合させることで、端子部５２がレセプタクルコネクタの端子部（図示せず）と接触して、ケーブル２０とレセプタクルコネクタ側のケーブル（図示せず）とが電気的に接続されることとなる。なお、端子部５２には、凹部５２ａが形成されており、この凹部５２ａにレセプタクルコネクタのコンタクトを弾接させることで、コネクタ１０とレセプタクルコネクタとの結合強度の向上が図られている。
【００２３】
ケーブル支持部３２には、図１に示すように、ケーブル２０の先端部分を収容する収容凹部３５が形成されている。この収容凹部３５には、後述する一対のグランドバー６１，６２が収容されるグランドバー収容凹部３６と、ケーブル２０の芯線２０ａを収容する芯線収容凹部３７とが形成されている。
【００２４】
芯線収容凹部３７内には、端子部５１が併設されており、複数のケーブル２０の芯線２０ａを載置する載置部３８が形成されている。本実施形態では、端子部５１の上面（表面）が芯線収容凹部３７内の底面から露出するように配置することで、載置部３８を形成している。端子部５１とケーブル２０の芯線２０ａとを半田付けによって固定することで、ケーブル２０の芯線２０ａは、端子部５１と電気的に接続された状態で、ケーブル支持部３２に支持されることとなる。
【００２５】
このように、本実施形態では、端子部５１の露出部分（上面）を含む芯線収容凹部３７の底面が載置部３８に相当している。
【００２６】
シェル４０は、例えば金属板に打ち抜き加工と曲げ加工とを施すことによって形成されており、ボディ３０の本体部３１およびケーブル支持部３２を覆っている。
【００２７】
さらに、本実施形態では、同軸ケーブル２１のシールド層２１ｃおよびディスクリートケーブル２２の芯線２２ａを、長手方向に延在する板状のグランドバー６１，６２で挟持することで、ケーブルアッシー６０を形成している。このとき、同軸ケーブル２１のシールド層２１ｃおよびディスクリートケーブル２２の芯線２２ａは、半田付けによってグランドバー６２に固定される。
【００２８】
本実施形態では、同軸ケーブル２１のシールド層２１ｃの外径とディスクリートケーブル２２の芯線２２ａの外径とが略同径となっており、板状のグランドバー６１，６２で挟持した際に、すべてのシールド層２１ｃおよび芯線２２ａがグランドバー６１およびグランドバー６２に当接するようにしている。
【００２９】
そして、シェル４０とグランドバー６２とを電気的に接続することで、すべての同軸ケーブル２１のシールド線２１ｃ、すべてのディスクリートケーブル２２の芯線２２ａ、グランドバー６１，６２およびシェル４０とが電気的に接続されることとなる。そして、これらシールド線２１ｂ，２２ｂ、グランドバー６１，６２およびシェル４０は、図示せぬグランドパターンに接続することで接地されるようになっている。
【００３０】
以上の構成のコネクタ１０は、例えば、下記のようにして形成される。
【００３１】
まず、ケーブルアッシー６０を形成し、当該ケーブルアッシー６０をケーブル支持部３２のグランドバー収容凹部３６に収容する。そして、ケーブル２０の芯線２０ａを端子部５１に半田付けによって固定する。次に、ボディ３０に取り付けられたシェル４０とグランドバー６２とを電気的に接続する。こうして、コネクタ１０が形成される。
【００３２】
なお、端子部５１および端子部５２は、コンタクト５０の一部に設けられており、例えば、ボディ３０にコンタクト５０をインサート成形することで、端子部５１および端子部５２を形成することができる。
【００３３】
また、コンタクト５０の少なくとも芯線収容凹部３７内の底面から露出する端子部５１の表面に、金鍍金やスズ鍍金、半田レベラー等の表面処理を施し、酸化を防止しつつ半田濡れ性を確保できるようにするのが好適である。
【００３４】
ここで、本実施形態では、糸半田やクリーム半田等の半田７０を用い、パルスヒートにより、ケーブル２０の芯線２０ａと端子部５１とを一括半田付けするようにしている（図２参照）。
【００３５】
具体的には、同軸ケーブル２１の芯線２１ａは、当該芯線２１ａを端子部５１の表面上に載置した状態で半田付けしている。一方、ディスクリートケーブル２２の芯線２２ａは、載置部３８の隣り合う端子部５１の間に載置した状態で当該隣り合う２つの端子部５１にそれぞれ半田付けしている。
【００３６】
本実施形態では、ディスクリートケーブル２２の芯線２２ａの外径は、同軸ケーブル２１の芯線２１ａの外径よりも大径となっている。したがって、載置部３８の隣り合う端子部５１の間にディスクリートケーブル２２の芯線２２ａを載置しただけでは、同軸ケーブル２１の芯線２１ａとディスクリートケーブル２２の芯線２２ａとの高さが異なってしまう。その結果、芯線２１ａや芯線２２ａの上部に糸半田やクリーム半田等の半田７０を載置させにくくなってしまい、ケーブル２０の芯線２０ａと端子部５１との一括半田付けが容易に行えないという問題がある。
【００３７】
そこで、本実施形態では、載置部３８のディスクリートケーブル２２の芯線２２ａを載置する部位に、略Ｖ字状の溝部３８ａを設け、芯線２１ａおよび芯線２２ａの端子部５１の表面からの高さを揃えることができるようにした。
【００３８】
本実施形態では、ディスクリートケーブル２２の芯線２２ａを載置部３８の隣り合う端子部５１の間に載置するようにしている。したがって、本実施形態では、載置部３８の隣り合う端子部（芯線２２ａとの接続用の端子部）５１の間が、載置部３８のディスクリートケーブル２２の芯線２２ａを載置する部位に相当する。そのため、載置部３８の隣り合う端子部（芯線２２ａとの接続用の端子部）５１の間にディスクリートケーブル２２の芯線２２ａを載置する溝部３８ａを形成した。
【００３９】
この溝部３８ａは、短手方向に延在するように形成されており、上方に開口するとともに、短手方向一端側（芯線収容凹部３７のグランドバー収容凹部３６側）に開口している。本実施形態では、このような形状の溝部３８ａをすべての端子部５１の両端に形成し、いずれかの溝部３８ａに、ディスクリートケーブル２２の芯線２２ａを載置できるようにしている。そして、ディスクリートケーブル２２の芯線２２ａを溝部３８ａ上に載置した状態で、半田７０により芯線２２ａを２つの端子部５１にそれぞれ半田付けすることで、芯線２２ａと端子部５１とが電気的に接続されるようにしている。このとき、隣り合う端子部５１の側面部５１ａが溝部３８ａ内に露出するようにしている。
【００４０】
また、本実施形態では、芯線２１ａを端子部５１の表面上に載置するとともに芯線２２ａを溝部３８ａに載置した状態で、芯線２１ａおよび芯線２２ａの端子部５１の表面からの高さが略同一となるように溝部３８ａの幅や深さを設定している。
【００４１】
このように、芯線２１ａおよび芯線２２ａの端子部５１の表面からの高さを揃えることで、糸半田やクリーム半田等を芯線２１ａや芯線２２ａの上部に載置させやすくなる。
【００４２】
ところで、本実施形態では、同心状の同軸ケーブル２１のシールド層２１ｃの外径と同心状のディスクリートケーブル２２の芯線２２ａの外径とが略同径となるようにしている。そして、板状のグランドバー６１，６２で挟持するだけで、同軸ケーブル２１のシールド層２１ｃおよびディスクリートケーブル２２の芯線２２ａが容易にグランド接続されるようにしている。そのため、板状のグランドバー６１，６２でシールド層２１ｃおよび芯線２２ａを挟持し、同軸ケーブル２１およびディスクリートケーブル２２をまっすぐ延在させた状態では、大径の芯線２２ａの上端が芯線２１ａの上端よりも上方に位置することとなる。そこで、本実施形態では、同軸ケーブル２１の芯線２１ａを上方に屈曲させた状態で端子部５１の表面上に載置することで、芯線２１ａおよび芯線２２ａの端子部５１の表面からの高さを揃えている。なお、ディスクリートケーブル２２の芯線２２ａを下方に屈曲させることで、芯線２１ａおよび芯線２２ａの端子部５１の表面からの高さを揃えるようにしてもよい。また、芯線２１ａおよび芯線２２ａの両方を屈曲させて芯線２１ａおよび芯線２２ａの端子部５１の表面からの高さを揃えるようにしてもよい。
【００４３】
以上説明したように、本実施形態では、芯線２２ａが同軸ケーブル２１の芯線２１ａよりも大径のディスクリートケーブル２２をグランド用ケーブルとして用いている。すなわち、比較的安価なディスクリートケーブル２２を、耐ノイズ性能要求が低いグランド用ケーブルとして用いている。そのため、コネクタ２０のノイズ性能の低下を極力抑制しつつ製造コストの低減を図ることができる。また、ボディ３０の載置部３８に形成された溝部３８ａにディスクリートケーブル２２の芯線２２ａを載置するようにしている。そのため、同軸ケーブル２１の芯線２１ａと端子部５１との高さおよびディスクリートケーブル２２の芯線２２ａと端子部５１との高さを略同等にすることができる。その結果、それぞれの芯線２１ａ，２２ａを各端子部５１に接続させる際に、パルスヒートによる一括半田付けを行うことが可能となり、コネクタ１０の製造が容易になる。
【００４４】
また、本実施形態では、同軸ケーブル２１のシールド層２１ｃの外径とディスクリートケーブル２２の芯線２２ａの外径とが略同径となるようにしている。そのため、板状のグランドバー６１，６２で挟持するだけで、同軸ケーブル２１のシールド層２１ｃおよびディスクリートケーブル２２の芯線２２ａを容易にグランド接続させることができる。
【００４５】
また、本実施形態では、端子部５１の上面（表面）が露出するように並設された載置部３８における隣り合う端子部５１の間に溝部３８ａを形成している。そして、当該溝部３８ａにディスクリートケーブル２２の芯線２２ａを載置した状態で、ディスクリートケーブル２２の芯線２２ａを２つの端子部５１に接続させるようにしている。したがって、芯線２２ａと隣り合う端子部５１との距離が短くなり、ボディ３０上の半田７０がはじかれてしまうのを抑制することができるため、芯線２２ａと端子部５１とが導通不良を起こしてしまうのを抑制することができる。
【００４６】
また、本実施形態では、隣り合う端子部５１の側面部５１ａを溝部３８ａ内に露出させているため、半田付けする際に、溶融した半田を溝部３８ａ内に流れ込ませることができるようになる。その結果、芯線２２ａと端子部５１との半田付けをより確実に行うことができ、芯線２２ａと端子部５１とが導通不良を起こしてしまうのをより一層抑制することができる。
【００４７】
また、グランド用ケーブルとしてディスクリートケーブル２２を用いることで、同軸ケーブルを用いた場合に比べ、芯線２２ａを露出するための工程を低減することができ、製造工程の簡素化を図ることができる。
【００４８】
また、本実施形態では、溝部３８ａをすべての端子部５１の両端に形成し、いずれかの溝部３８ａに、ディスクリートケーブル２２の芯線２２ａを載置できるようにしている。そのため、ディスクリートケーブル２２の配置箇所を変更した際に、ボディ３０を交換する必要がなくなる。すなわち、１つのボディ３０でディスクリートケーブル２２の配置箇所を用途に応じて任意に設定することができるようになるため、ボディ３０に汎用性を持たせることができる。
【００４９】
（第２実施形態）
本実施形態にかかるコネクタ１０Ａは、基本的に上記第１実施形態と同様の構成をしている。
【００５０】
すなわち、コネクタ１０Ａは、複数のケーブル２０と、当該複数のケーブル２０のうちの１つのケーブル２０の芯線２０ａが接続される端子部５１が複数並設された合成樹脂製のボディ３０と、を備えている。そして、ボディ３０には、電磁ノイズを遮蔽するための金属製のシェル４０が取り付けられている。
【００５１】
そして、載置部３８のディスクリートケーブル２２の芯線２２ａを載置する部位には、溝部が設けられており、芯線２１ａおよび芯線２２ａの端子部５１の表面からの高さを揃えることができるようになっている。
【００５２】
ここで、本実施形態のコネクタ１０Ａが上記第１実施形態のコネクタ１０と主に異なる点は、ディスクリートケーブル２２の芯線２２ａが載置される端子部５１に溝部５１ｂを設けた点にある。
【００５３】
本実施形態では、溝部５１ｂは、互いに対向するとともに、溝部５１ｂの開口側から深さ方向に向かうにつれて幅狭となる一対の側面部（傾斜面）５１ｃと、当該側面部（傾斜面）５１ｃの下部同士を接続する底面部５１ｄと、を有している。すなわち、溝部５１ｂは、正面視で逆台形状に形成されている。そして、図５に示すように、端子部５１の表面よりも低い底面部５１ｄにディスクリートケーブル２２の芯線２２ａを載置させることで、芯線２１ａおよび芯線２２ａの端子部５１の表面からの高さを揃えている。
【００５４】
以上の本実施形態によっても、上記第１実施形態とほぼ同様の作用、効果を奏することができる。
【００５５】
また、本実施形態によれば、載置部３８のディスクリートケーブル２２の芯線２２ａが載置される部位である端子部５１に溝部５１ｂを設けている。そのため、溝部５１ｂによって芯線２２ａの位置決めがなされ、半田付け時に芯線２２ａの位置合わせを行う必要がなくなり、芯線２２ａの端子部５１への半田付けを容易に行うことができる。その結果、芯線２２ａと端子部５１とが導通不良を起こしてしまうのを抑制することができる。
【００５６】
また、本実施形態では、溝部５１ｂの互いに対向する側面部５１ｃを溝部５１ｂの開口側から深さ方向に向かうにつれて幅狭となるように傾斜させている。その結果、芯線２２ａを溝部５１ｂ内に導入しやすくなり、作業性の向上を図ることができる。
【００５７】
以上、本発明の好適な実施形態について説明したが、本発明は上記実施形態には限定されず、種々の変形が可能である。
【００５８】
例えば、上記第１実施形態では、略Ｖ字状の溝部を例示したが、上記第２実施形態で示した逆台形状の溝部としてもよい。また、上記第２実施形態で示した溝部の形状を略Ｖ字状にしてもよい。
【００５９】
また、溝部や端子部、その他細部のスペック（形状、大きさ、レイアウト等）も適宜に変更可能である。
【符号の説明】
【００６０】
１０  コネクタ
２０  ケーブル
２０ａ  芯線
２１  同軸ケーブル
２１ａ  芯線
２１ｃ  シールド線
２２  ディスクリート線
２２ａ  芯線
３０  ボディ
３８  載置部
３８ａ  溝部
４０  シェル
５０  コンタクト
５１  ケーブル用の端子部
５１ｂ  溝部
５１ｃ  傾斜面
６１  グランドバー
６２  グランドバー
【図１】
2013258052.tif 000003
【図２】
2013258052.tif 000004
【図３】
2013258052.tif 000005
【図４】
2013258052.tif 000006
【図５】
2013258052.tif 000007